(57)【特許請求の範囲】
【請求項１】
索条を繰り出し巻き戻す昇降装置本体と、前記索条に昇降自在に支持され鉛直な昇降軸に沿って昇降する昇降部と、天井面に設けられた天井開口部に略嵌合する筒体部及び該筒体部の昇降装置本体に臨む側の端部より径方向内方に延設した内鍔部及び該筒体部の昇降部に臨む側の端部より径方向外方に延設した外鍔部を備え前記索条を挿通する化粧枠と、該化粧枠を支持するアームと、を有し、前記化粧枠を天井面の傾斜に応じた角度と成すことができるように、前記昇降軸に直交する回動軸を中心として化粧枠が回動自在であり、前記昇降軸及び前記回動軸の双方に直交する軸についての筒体部の両端部が回動軸から等距離となされている昇降装置において、
一端部が前記回動軸を中心として回動自在に前記アームに軸着されており、他端部が前記化粧枠の内鍔部に固着されている接続片を有し、前記回動軸を前記天井面と同一平面内に位置するように設けるととともに
前記軸着部分は前記外鍔部に覆われており、
前記固着部分は昇降部に取り付けられたフランジが化粧枠内に位置したときにフランジで隠れるよう構成されたものであることを特徴とする昇降装置。
【請求項２】
前記昇降部は、前記化粧枠に収納可能な板体のフランジを有しており、該フランジは、フランジを前記化粧枠に収納した状態において前記回動軸と一致するフランジ回動軸を中心として、回動可能であって、前記昇降軸及び前記フランジ回動軸の双方に直交する軸についてのフランジの両端部をフランジ回動軸から等距離となし、前記フランジの上面は化粧枠への収納状態において天井面と同一平面に位置することを特徴とする請求項１に記載の昇降装置。
【発明の詳細な説明】
【０００１】
【発明の属する技術分野】
本発明は、高所に設置した灯具等を昇降させる昇降装置に関する。
【０００２】
【従来の技術】
従来の技術の昇降装置を図６乃至図８を用いて説明する。図６は昇降装置の外観を示す図であって、（ａ）は昇降装置の側面図、（ｂ）は昇降装置の正面図である。図７は化粧枠を回動させた状態を示す側面図である。図８は化粧枠の調整孔を説明する要部側面図であり、（ａ）は天井面の傾斜が小さい場合、（ｂ）は天井面の傾斜が中程度の場合、（ｃ）は天井面の傾斜が大きい場合を示す。
【０００３】
図６において、昇降装置は、昇降装置本体Ａと、アームＢ，Ｂと、化粧枠Ｃと、昇降部Ｄと、索条に相当するワイヤＥを有して構成されている。
【０００４】
昇降装置本体Ａは、ドラムを回転させることによりワイヤＥを繰り出し又は巻取るものである。昇降装置本体Ａは、略水平に成された裏天井面Ｔ１に取り付けられており、昇降装置本体Ａの下面も略水平と成されている。
【０００５】
ワイヤＥは、昇降装置本体Ａの下面から鉛直下方に引き出されており、昇降部Ｄを支持するものである。
【０００６】
アームＢ，Ｂは、昇降装置本体Ａの側面にワイヤＥを挟むようにして対向配設されている板体である。
【０００７】
化粧枠Ｃは、大略円筒体であって、天井面Ｔ２に設けた天井開口部Ｔ３に嵌合して、天井開口部Ｔ３の見栄えをよくするものである。化粧枠Ｃは、アームＢ，Ｂに回動自在に軸着されており、図６中の想像線は化粧枠Ｃを回動させた様子を示している。よって、化粧枠Ｃは、天井面Ｔ２が水平面に対して所定の角度を有している場合であっても、該天井面Ｔ２と同じ所定の角度となして天井開口部Ｔ３に嵌合可能となされている。また、化粧枠Ｃの回動軸Ｊ１は昇降部Ｄの昇降する鉛直な昇降軸Ｊ２に直交するようになされている。
【０００８】
昇降部Ｄは、ワイヤＥに昇降自在に支持されているものであって、水平面に対する角度を調整することができる。昇降部Ｄは、フランジＦを間に介在させて、不図示の照明器具が取り付けられる。
【０００９】
以上のようにして構成された昇降装置にあっては、図７に示すように天井面Ｔ２が水平面に対して所定の角度を有している場合であっても、化粧枠Ｃを回動させて水平面に対して天井面Ｔ２と同じ所定の角度となるように調整して取り付けることができ、また昇降部Ｄの角度を調整することにより天井面Ｔ２と同じ所定の角度となすことができる。
【００１０】
従って、上記のようにして化粧枠Ｃ、昇降部Ｄの角度を調整して昇降装置本体Ａを設置した後、ワイヤＥを巻取ると、昇降部Ｄ及びフランジＦが化粧枠Ｃ内に同じ角度でもって収容される。
【００１１】
【発明が解決しようとする課題】
しかしながら、上述のような図６、図７に示す昇降装置にあっては、次のような問題点があった。
【００１２】
即ち、図７に示す側面図を用いて説明すると、化粧枠Ｃを回動軸Ｊ１を中心として回動させた場合、化粧枠Ｃの中心軸Ｊ３（中心軸Ｊ３は、昇降部Ｄの昇降する鉛直な昇降軸Ｊ２と回動軸Ｊ１との成す平面が、水平に成された化粧枠Ｃを切断した場合に化粧枠Ｃの側面に現れる線を通過する軸である。）と天井面Ｔ２を含む平面との交わる点Ｐ１が昇降軸Ｊ２上にないため、化粧枠Ｃの両側端部Ｃ１，Ｃ２の昇降軸Ｊ２からの距離が異なるものとなる。即ち、図７においては、化粧枠Ｃが昇降軸Ｊ２に対して左方に偏心しており、昇降軸Ｊ２から端部Ｃ２までの距離が、昇降軸Ｊ２から端部Ｃ１までの距離に較べて短いものとなっている。
【００１３】
従って、昇降部Ｄを水平面に対して化粧枠Ｃと同じ角度としても、昇降部Ｄを上昇させると、化粧枠Ｃの両側端部Ｃ１，Ｃ２の昇降軸Ｊ２からの距離の違いにより、フランジＦの端部Ｆ１が化粧枠Ｃの端部Ｃ２に衝突する場合があるという問題点があった。
【００１４】
そこで、この問題点を解消するために、図８（ａ）乃至図８（ｃ）に示すように、化粧枠Ｃの側面に調整孔Ｃ３，Ｃ３，Ｃ３を設けて、該調整孔Ｃ３，Ｃ３，Ｃ３のいずれかを用いて化粧枠ＣとアームＢ，Ｂとを軸着可能にしたものがある。このものにあっては、天井面Ｔ２の角度に応じて、調整孔Ｃ３，Ｃ３，Ｃ３を適宜選択して化粧枠３をアーム２に軸着できるので、化粧枠Ｃが水平面に対して所定の角度を成す場合であっても、化粧枠Ｃが昇降軸Ｊ２に対して偏心せず、化粧枠Ｃの両側端部Ｃ１，Ｃ２の昇降軸Ｊ２からの各々の距離を略等しいものとすることができる。よって、前記フランジＦの端部Ｆ１が端部Ｃ１，Ｃ２に衝突するという問題は生じない。しかし、昇降装置を設置する際に化粧枠Ｃの角度を調整する場合には、化粧枠Ｃを取り付け直すという作業が必要となるため、化粧枠Ｃの角度調整に時間と手間を要するという問題点があった。
【００１５】
本発明は、上記問題点を改善するために成されたもので、その目的とするところは、化粧枠を水平面に対して所定の角度を有して取り付けた場合に、化粧枠が昇降軸に対して偏心することなく、また時間と手間を要せずして設置の際の化粧枠の角度調整を行うことができる昇降装置を提供することにある。
【００１６】
【課題を解決するための手段】
本発明は上記の問題を解決するために、請求項１記載の発明にあっては、索条を繰り出し巻き戻す昇降装置本体と、前記索条に昇降自在に支持され鉛直な昇降軸に沿って昇降する昇降部と、天井面に設けられた天井開口部に略嵌合する筒体部及び該筒体部の昇降装置本体に臨む側の端部より径方向内方に延設した内鍔部及び該筒体部の昇降部に臨む側の端部より径方向外方に延設した外鍔部を備え前記索条を挿通する化粧枠と、該化粧枠を支持するアームと、を有し、前記化粧枠を天井面の傾斜に応じた角度と成すことができるように、前記昇降軸に直交する回動軸を中心として化粧枠が回動自在であり、前記昇降軸及び前記回動軸の双方に直交する軸についての筒体部の両端部が回動軸から等距離となされている昇降装置において、
一端部が前記回動軸を中心として回動自在に前記アームに軸着されており、他端部が前記化粧枠の内鍔部に固着されている接続片を有し、前記回動軸を前記天井面と同一平面内に位置するように設けるととともに
前記軸着部分は前記外鍔部に覆われており、
前記固着部分は昇降部に取り付けられたフランジが化粧枠内に位置したときにフランジで隠れるよう構成されたものであることを特徴とするものである。
【００１７】
請求項２記載の発明にあっては、前記昇降部は、前記化粧枠に収納可能な板体のフランジを有しており、該フランジは、フランジを前記化粧枠に収納した状態において前記回動軸と一致するフランジ回動軸を中心として、回動可能であって、前記昇降軸及び前記フランジ回動軸の双方に直交する軸についてのフランジの両端部をフランジ回動軸から等距離となし、前記フランジの上面は化粧枠への収納状態において天井面と同一平面に位置することを特徴とするものである。
【００１９】
【発明の実施の形態】
本発明の実施の形態を図１乃至図５を用いて説明する。図１は昇降装置の外観を示す図であって（ａ）は昇降装置の側面図、（ｂ）は昇降装置の正面図である。図２は昇降装置の外観を示す斜視図である。図３は化粧枠を説明する要部断面図である。図４は化粧枠を回動させた状態を示す側面図である。図５は化粧枠を説明する要部断面図である。
【００２０】
図１、図２において、昇降装置は、昇降装置本体１と、アーム２，２と、化粧枠３と、昇降部４と、索条に相当するワイヤ５と、フランジ６と、を有して構成されている。
【００２１】
昇降装置本体１は、大略直方体の筐体１ａを有しており、内部に不図示のドラムが設けてある。そして、昇降装置本体１は、該ドラムを回転させることによりワイヤ５を繰り出し又は巻取る。筐体１ａの裏天井面Ｔ１に臨む上面１ｄには、断面コ字状の長尺物である吊り金具１ｂが２つ取り付けてある。該吊り金具１ｂには取付孔１ｃが穿設してあり、該吊り金具１ｂが裏天井面Ｔ１より下方に向けて略鉛直に立設されている吊りボルトＧ１にナットＧ２，Ｇ６，Ｇ７及び座金Ｇ３，Ｇ４、バネ座金Ｇ５を介して螺着されることにより、昇降装置本体１は裏天井面Ｔ１に取り付けられる。
【００２２】
裏天井面Ｔ１は略水平に成されており、吊りボルトＧ１に取り付けられる昇降装置本体１の上面１ｄ及び下面１ｅも、昇降装置本体１の側面に取り付けられた水準器１ｆにより略水平と成されている。
【００２３】
ワイヤ５は、昇降装置本体１の下面１ｅから鉛直下方に引き出されており、昇降部４を支持するものである。
【００２４】
昇降部４は、ワイヤ５に昇降自在に支持されており、鉛直な昇降軸Ｊ５に沿って昇降するものである。昇降部４は、取付金具４ａ及び調整金具４ｂを有しており、調整金具４ｂでもって取付金具４ａの水平面に対する角度を調整することができる。調整金具４ｂは、フランジ６の化粧枠３への収納状態において、後述のフランジ回動軸Ｊ６と回動軸Ｊ４とを略一致させることができるように構成してある。取付金具４ａは、フランジ６を間に介在させて、不図示の照明器具を取り付けるものである。該照明器具はフランジ６のネジ孔６ａ及び取り付け金具のネジ孔４ｃにボルトでもって螺着される。
【００２５】
アーム２，２は、昇降装置本体１の側面にワイヤ５を挟むようにして対向配設されている板体であって、上端部２ａ，２ａが昇降装置本体１に取着されており、下端部２ｂ，２ｂが昇降装置本体１の下面１ｅの下方に位置している。また、アーム２，２は、下端部２ｂ，２ｂが互いに遠ざかるように、折曲げされている。
【００２６】
化粧枠３は、大略円筒体であって、天井面Ｔ２に設けた天井開口部Ｔ３に嵌合して、天井開口部Ｔ３の見栄えをよくするものである。化粧枠３は、図３に示すように、昇降装置本体１に臨む側と昇降部４に臨む側との両端面に開口部を有してワイヤ５を挿通する大略筒状に形成された筒体部３ｂと、筒体部３ｂの昇降装置本体１に臨む側の一端部面の縁部を全周にわたって径方向外方に延設し鍔状となした外鍔部３ａと、筒体部３ｂの昇降部４に臨む側の端面の縁部を全周にわたって径方向内方に延設し鍔状となした内鍔部３ｃとより構成されている。
【００２７】
化粧枠３は、昇降軸Ｊ５に直交する回動軸Ｊ４回りに回動自在にアーム２に軸着されており、天井面Ｔ２が水平面に対して所定の角度を有している場合であっても、該天井面Ｔ２と同じ角度となして天井開口部Ｔ３に嵌合可能となされている。また、回動軸Ｊ４は、天井面Ｔ２を含む平面と略同一平面に位置するようになされている。そして、化粧枠３の筒体部３ｂの両端部３ｄ，３ｅが回動軸Ｊ４から等距離となしてある。両端部３ｄ，３ｅとは、筒体部３ｂの、回動軸Ｊ４及び昇降軸Ｊ５の双方に垂直な軸方向の両端部分である。
【００２８】
フランジ６は、昇降部４に取り付けられて化粧枠３に収納可能な円形板体であって、収納状態において筒体部３ｂの昇降装置本体１に臨む側の開口部に重合して該開口部を閉塞する。フランジ６は、フランジ回動軸Ｊ６を中心として調整金具４ｂによって回動可能であって、フランジ６の両端部６ｃ，６ｄがフランジ回動軸Ｊ６から等距離となしてある。両端部６ｃ，６ｄとは、フランジ６の、フランジ回動軸Ｊ６及び昇降軸Ｊ５の双方に垂直な軸方向の両端部分である。またフランジ回動軸Ｊ６は、フランジ６を化粧枠３に収納した状態において回動軸Ｊ４と略一致する軸である。
【００２９】
そして、フランジ６の上面６ｂは、昇降部４が上死点まで上昇して化粧枠３に収納された状態において、天井面Ｔ２と略同一平面となるようになされている。
【００３０】
以上のようにして構成された昇降装置にあっては、図４に示すように天井面Ｔ２が水平面に対して所定の角度を有している場合であっても、化粧枠３を回動させて水平面に対して天井面Ｔ２と同じ所定の角度となるように調整して取り付けることができ、また昇降部４の調整金具４ｂを調整することにより天井面Ｔ２と同じ角度となすことができる。
【００３１】
そして、化粧枠３を回動させて取り付けても、化粧枠３は回動軸Ｊ４回りに回動するから、化粧枠３は昇降軸Ｊ５に対して偏心することがなく、また、昇降軸Ｊ５と回動軸Ｊ４との成す平面から化粧枠３の両側端部３ｄ，３ｅまでの距離が略等しくなる。従って、昇降部４を上昇させた場合であっても、フランジ６の端部６ｃ，６ｄが端部３ｄ，３ｅに衝突するということがない。
【００３２】
そして、フランジ６が化粧枠３に収納された状態では、フランジ６の上面６ｂは天井面Ｔ２と略同一平面に位置し、フランジ回動軸Ｊ６も回動軸Ｊ４に一致するので、フランジ６を偏心することなく化粧枠３に収納することができる。
【００３３】
なお、本実施の形態では外鍔部３ａを天井面Ｔ２よりやや突出して設けているため、該突出している分だけ昇降軸Ｊ５と回動軸Ｊ４との成す平面から端部３ｄ，３ｅまでの距離が厳密にはやや異なるが、化粧枠３の内径とフランジ６の外径の差によって、フランジ６の周囲には長さＬの間隙が存在するので、前記突出による左右距離の相違によっては衝突は生じない。
【００３４】
また、他の実施の形態では、図５に示すように、一端部７ａがアーム２に回動軸Ｊ４を中心として回動自在に軸着されており、他端部７ｂが化粧枠３の内鍔部３ｃに固着されている接続片７を設けて、回動軸Ｊ４を天井面Ｔ２と略同一平面内に位置するようにしている。接続片７は、一端部７ａを有するアーム接触片７ｃと、アーム接触片７ｃの端部から略垂直方向に延設し他端部７ｂを有する内鍔部接触片７ｄとを備えて構成してある。
【００３５】
この構成によると、化粧枠３は接続片７を介して回動自在にアーム２に取り付けられることとなるとともに、アーム２と一端部７ａの軸着部分は、化粧枠３に覆われるので見栄えのよいものとなすことができる。なお、この場合には、化粧枠３の内鍔部３ｃと他端部７ｂとの接続部分のビス８が露出することになるが、昇降部４を上昇させてフランジ６が化粧枠３内に位置するようになれば、外部からは見えないものとなるため、見栄えを悪くするものではない。
【００３６】
【発明の効果】
請求項１記載の発明にあっては、接続片の一端部を回動軸を中心として回動自在にアームに軸着し、接続片の他端部を化粧枠の内鍔部に固着して、回動軸を化粧枠を取着する天井面と同一平面内に位置するようにしたので、化粧枠を回動させた場合、化粧枠は前記回動軸を中心として回動するから、化粧枠は昇降軸に対して偏心することなく、また時間と手間を要せずして設置の際の化粧枠の角度調整を行うことができるとともに、外鍔部がアームと一端部との軸着部分を覆うので見栄えの良いものとすることができる昇降装置を提供できるという効果を奏する。
【００３８】
請求項２記載の発明にあっては、フランジは、フランジを化粧枠に収納した状態において回動軸と一致するフランジ回動軸を中心として、回動可能であって、昇降軸及びフランジ回動軸の双方に直交する軸についてのフランジの両端部をフランジ回動軸から等距離となし、化粧枠への収納状態において天井面と同一平面に位置するようになしたので、フランジは昇降軸に対して偏心することなく化粧枠に収納することができる昇降装置を提供できるという効果を奏する。
【図面の簡単な説明】
【図１】本発明の昇降装置の外観を示す図であって（ａ）昇降装置の側面図、（ｂ）は昇降装置の正面図である。
【図２】昇降装置の外観を示す斜視図である。
【図３】化粧枠を説明する要部断面図である。
【図４】化粧枠を回動させた状態を示す側面図である。
【図５】化粧枠を説明する要部断面図である。
【図６】従来の技術の昇降装置の外観を示す図であって、（ａ）は昇降装置の側面図、（ｂ）は昇降装置の正面図である。
【図７】化粧枠を回動させた状態を示す側面図である。
【図８】化粧枠の調整孔を説明する要部側面図であり、（ａ）は天井面の傾斜が小さい場合、（ｂ）は天井面の傾斜が中程度の場合、（ｃ）は天井面の傾斜が大きい場合を示す。
【符号の説明】
１    昇降装置本体
２    アーム
３    化粧枠
３ｂ  筒体部
３ａ  外鍔部
３ｃ  内鍔部
４    昇降部
５    索条
６    フランジ
７    接続片
７ａ  一端部
７ｂ  他端部
Ｊ４  回動軸
Ｊ５  昇降軸
Ｊ６  フランジ回動軸
Ｔ２  天井面
Ｔ３  天井開口部
【図１】
0003873377.tif 000002
【図２】
0003873377.tif 000003
【図３】
0003873377.tif 000004
【図４】
0003873377.tif 000005
【図５】
0003873377.tif 000006
【図６】
0003873377.tif 000007
【図７】
0003873377.tif 000008
【図８】
0003873377.tif 000009